(57)【要約】    【課題】  フェードアウトのための格別な回路を配設することなしに遠隔制御手段の操作で消灯させるときにフェードアウトして消灯するようにした点灯装置を提供する。    【解決手段】  点灯装置は、光源としての放電ランプDLを全光および所定範囲内の調光で点灯する点灯回路OCと、光源の全光点灯、調光点灯および消灯の動作を選択的に操作する遠隔制御手段としてのリモコンRCと、リモコンで消灯操作をしたときに点灯回路の調光機能を作用させて放電ランプを所定範囲より暗いレベルまでフェードアウト制御して消灯させる制御回路CCとを具備している。【選択図】図１
2009230879.tif 000002
【特許請求の範囲】
【請求項１】
光源を全光および所定範囲内の調光で点灯する点灯回路と；
光源の全光点灯、調光点灯および消灯の動作を選択的に操作し得る遠隔制御手段と；
遠隔制御手段で消灯操作をしたときに点灯回路の調光機能を作用させて光源を所定範囲より暗いレベルまでフェードアウト制御して消灯させる制御回路と；
を具備していることを特徴とする点灯装置。
【請求項２】
前記光源は、放電ランプであって、消灯時のフェードアウト制御は、点灯回路から放電ランプに投入される電力を放電ランプが消灯するまで低減させることにより行うことを特徴とする請求項１記載の点灯装置。
【請求項３】
点灯回路は、フィードバック制御をしないで放電ランプを点灯するように構成されていることを特徴とする請求項１または２記載の点灯装置。
【発明の詳細な説明】
【技術分野】
【０００１】
本発明は、光源を調光可能な点灯装置に関する。
【背景技術】
【０００２】
点灯している放電ランプを消灯するときにフェードアウト制御するように構成した放電ランプ点灯装置は既知である（例えば、特許文献１参照。）。
【０００３】
また、調光可能な放電ランプ点灯装置を搭載した照明器具にリモコン受信器を付設し、調光レベルのアップスイッチおよびダウンスイッチを備えたリモコン送信器を操作して放電ランプを所望の調光レベルで点灯させるように構成した放電ランプ点灯装置は既知である（例えば、特許文献２参照。）。
【０００４】
【特許文献１】特開平０６−０７６９６７号公報
【特許文献２】特開平０６−０７５６６７号公報
【発明の開示】
【発明が解決しようとする課題】
【０００５】
従来のフェードアウトして消灯する放電ランプ点灯装置は、フェードアウトのための充電コンデンサを備えた直流電圧重畳回路など格別な回路を配設する必要があり、そのためコストアップになる。
【０００６】
また、従来のリモコンを操作して放電ランプの点灯状態を切り換える放電ランプ点灯装置は、消灯させるときにフェードアウトさせることができなかった。
【０００７】
本発明は、フェードアウトのための格別な回路を配設することなしに遠隔制御手段を操作で消灯させるときにフェードアウトして消灯するようにした点灯装置を提供することを目的とする。
【課題を解決するための手段】
【０００８】
本発明の点灯装置は、光源を全光および所定範囲内の調光で点灯する点灯回路と；光源の全光点灯、調光点灯および消灯の動作を選択的に操作する遠隔制御手段と；遠隔制御手段で消灯操作をしたときに点灯回路の調光機能を作用させて光源を所定範囲より暗いレベルまでフェードアウト制御して消灯させる制御回路と；を具備していることを特徴としている。
【０００９】
本発明は、以下の態様を許容する。
【００１０】
最初に点灯回路について説明する。点灯回路は、光源を点灯する回路手段であるが、後述する遠隔制御手段からの操作に基づいて光源を全光および調光のいずれか所望の態様で点灯させることができる。なお、全光とは、一般的には光源を定格ランプ電力で点灯するときをいうが、本発明においては設定された範囲内の最大電力で点灯するときをいう。また、調光とは、全光のときより少ない電力で点灯するときをいう。したがって、調光点灯時には光源の発光の明るさが全光点灯時のそれより低下する。
【００１１】
また、点灯回路は、調光点灯の態様として、調光レベルすなわち調光時の明るさレベルを、例えば全光の６０％までといった具合に予め設定された所定範囲内で所望に設定することができるように構成されている。所望により調光レベルを連続的に変化させることができるように点灯回路および遠隔制御手段を構成して、例えばダウンスイッチやアップスイッチを操作して調光レベルを連続的ないし段階的に変化させながら所望の調光レベルに到達したときに調光レベル変化操作を停止してそのときの調光レベルを記憶させれば、調光レベルの設定が容易になる。また、調光レベル設定用のスイッチとは別にフェードイン／フェードアウト専用の操作ボタンをリモコンに配設してフェードイン／フェードアウト調光を照明中に楽しめるように構成するとともに、点灯回路の制御回路を上記リモコン操作に従動するように構成することもできる。
【００１２】
さらに、点灯回路は、光源を点灯するための具体的な回路構成が特段限定されない。光源が放電ランプの場合には、制御が容易、高発光効率、明るさのちらつきがない、即時始動可能であるなどの理由で高周波点灯を行う回路構成が好ましい。この場合、インバータ回路を用いて高周波電圧を発生するように構成すると好都合である。また、光源が放電ランプではない場合には、その光源に適合する既知の各種点灯回路を用いればよい。
【００１３】
光源が放電ランプであって、放電ランプを調光点灯する場合、点灯回路から放電ランプに投入される電力を低減すればよい。したがって、その調光レベルを変化させるには、放電ランプに投入される電力の全光点灯時の電力に対する低減の程度を変化させればよい。放電ランプに投入される電力を低減するには、点灯回路の出力電圧を低減するか、または／および周波数を変化させればよい。後者は、負荷回路に配設されるバラストをインダクタなどのリアクタンスで構成するのが一般的であり、リアクタンスは周波数に応じてその値が変化するから、周波数を変化させることによって放電ランプに投入する電力を変化させることができる。
【００１４】
点灯回路の出力電圧を低減する場合の好ましい構成は、インバータ回路の直流入力電圧を低減することである。例えば、インバータ回路の入力側したがって直流電源内にチョッパ回路などの直流電圧調節機能を有する回路を配設すればよい。そうすれば、インバータ回路の出力電圧が入力電圧に応じて相応に変化する。なお、チョッパ回路は、直流電源電圧および所要の直流出力電圧の相関に基づいて昇圧チョッパ、降圧チョッパなど既知のチョッパ回路から適宜選択して用いることができる。
【００１５】
通常点灯すなわち全光点灯および調光点灯中に点灯回路をフィードバック制御しないように構成することができる。これにより回路を簡略化できる。この場合、インバータ回路の発振周波数を一定にすることができる。しかし、所望により点灯回路の出力電圧制御と周波数制御を併用して点灯することも許容される。また、放電ランプのフィラメント電極を予熱し、始動する際に所要の電圧を印加するために周波数制御または／および出力電圧を変化させることができる。
【００１６】
放電ランプをフェードアウト制御によって消灯するには、点灯回路の調光機能を作用させて所定範囲の下限を超えて消灯するまで調光することで行う。なお、所定範囲の下限を超えて調光する際に消灯直前に放電が不安定になって明るさのちらつきを生じる場合には、明るさのちらつきが生じる前に例えばインバータ回路の発振動作を停止させるなどにより点灯回路の動作を停止して消灯させることができる。
【００１７】
消灯時のフェードアウト制御における明るさ低下の割合すなわち速度は、所定範囲内で連続的に調光レベルを低減する場合の割合より大きくフェードアウトするように制御するのが好ましい。そうすれば、通常の連続調光と消灯のためのフェードアウトとの判別が容易になるとともに、フェードアウトによる上質で高級感のある消灯動作を行うことができる。しかし、所望により通常の連続調光とほぼ同一または通常の連続調光より遅い低減速度でフェードアウトを行って消灯させてもよい。また、フェードアウトによる消灯は、所定範囲内の最低レベルの調光点灯時だけでなく、どのような調光レベルや全光点灯からであっても同様に行うのが好ましい。
【００１８】
インバータ回路を用いる場合、その回路方式は自由に選択することができるが、回路構成が簡単で、かつ小形化しやすくて、しかも比較的安価に得られるのはハーフブリッジ形インバータである。
【００１９】
さらにまた、点灯回路は、負荷回路を備えている。負荷回路は、放電ランプに対するバラスト作用を提供するとともに、インバータ回路の出力電圧波形を正弦波に波形整形し、放電ランプの始動時に周波数制御を行うことで始動電圧を印加しやすくするなどの電圧調整作用を行う。そのために、負荷回路は、共振回路を含む。そして、共振電圧が印加され、かつバラストと直列接続するように放電ランプを負荷回路に接続する。
【００２０】
次に、遠隔制御手段について説明する。遠隔制御手段は、光源を離間した位置から遠隔的に制御する手段であれば、その具体的な構成は特段限定されない。遠隔制御手段としてリモコンを採用することができる。リモコンは、リモコン操作器およびリモコン受信器からなる。また、リモコンは、一般的にはワイヤレス方式が採用されるが、所望によりワイヤード方式であってもよい。ワイヤレス方式の場合、赤外線を通信媒体とするのが一般的であるが、電波など既知の各種媒体を通信媒体とすることもできる。
【００２１】
リモコン操作器は、光源、例えば放電ランプの動作を切り換える際に操作側となる手段であり、照明器具から離間して使用者の手元で操作され、全光点灯、調光点灯および消灯を少なくとも選択的に操作することができる。また、調光の場合にそのレベルを使用者の好みに応じて調整可能に設定することができる。そのために、全光点灯、調光点灯および消灯の操作スイッチと調光レベルを変化させる際のアップスイッチおよびダウンスイッチを配設することができる。
【００２２】
リモコン受信器は、照明器具側に配設されて、リモコン操作器から送信された操作信号で変調されたリモコン信号を受信してこれを復調し、制御回路に制御入力される。このため、リモコン受信器は、少なくともその受信部が照明器具のリモコン信号を受信しやすい位置、例えば下面側に配置される。
【００２３】
次に、制御回路について説明する。制御回路は、リモコンによる操作に応じて点灯回路を制御するための回路手段である。このために、制御回路をマイコンおよびＤＳＰ（ディジタルシグナルプロセッサ）などのディジタルデバイスやアナログＩＣを主体として構成することができる。これにより、点灯回路の上述した各制御を所望に実行するのが容易になる。なお、所望により放電ランプの寿命末期判定および放電ランプ装着有無判定などの保護動作を行うように構成することができる。これに付随して点灯回路にランプ電圧およびランプ電流検出回路などの既知の回路手段を付加することができる。
【００２４】
その他の構成について説明する。
【００２５】
光源は、付勢されたときに発光して照明を行う。光源として放電ランプ、発光ダイオードおよび白熱電球など既知の各種光源を選択して用いることができる。また、放電ランプの場合、蛍光ランプなど所望の放電ランプを適宜用いることができる。
【００２６】
補助的な光源として保安灯を光源の消灯時に常夜灯などとして選択的に点灯するように構成することができる。保安灯には小電力の白熱電球や発光ダイオードなどを採用することができる。所望により保安灯の点灯時の明るさを多段階に切り換えて設定することが可能なように構成することができる。また、この場合の切り換えを遠隔制御手段で行うように構成することができる。
【発明の効果】
【００２７】
本発明によれば、リモコンで消灯操作をしたときに点灯回路の調光機能を作用させて光源を所定範囲の調光点灯より暗いレベルまでフェードアウト制御して消灯させることにより、フェードアウトのための格別な回路を配設することなしにリモコン操作でフェードアウトして消灯することができ、上質で高級感のある照明演出を行うことができる。
【発明を実施するための最良の形態】
【００２８】
以下、図面を参照して本発明を実施するための形態を説明する。
【００２９】
図１ないし図３は、本発明の点灯装置を実施するための一形態を示し、図１は照明器具側に配設される点灯装置の回路図、図２は照明器具および遠隔制御手段としてのリモコンの略図、図３は光源の全光、調光および消灯時の明るさの関係を示すグラフである。
【００３０】
図１および図２に示すように、照明器具側に配設される点灯装置は、点灯回路ＯＣ、リモコンＲＣおよび制御回路ＣＣを具備している。なお、リモコンＲＣは、リモコン送信器ＲＴおよびリモコン受信器ＲＲからなり、リモコン受信器ＲＲが照明器具側に配設される。
【００３１】
点灯回路ＯＣは、整流回路Ｒｅｃ、昇圧チョッパＢＵＣ、インバータ回路ＩＮＶおよび負荷回路ＬＣを備えている。そして、低周波交流電源ＡＣを受電して光源としての放電ランプＤＬを高周波点灯する。
【００３２】
整流回路Ｒｅｃは、ブリッジ形全波整流回路からなり、入力端が低周波交流電源ＡＣに接続する。そして、出力端から全波整流波形の直流電圧が得られる。
【００３３】
昇圧チョッパＢＵＣは、内部の回路接続の図示を省略しているが、既知の回路構成である。すなわち、昇圧チョッパＢＵＣの図示の回路ブロック内において、インダクタおよびスイッチング素子の直列回路が整流回路Ｒｅｃの出力端間に接続し、このスイッチング素子の両端間にダイオードおよび平滑コンデンサＣ１の直列回路が接続している。したがって、整流回路Ｒｅｃの出力端の正極と後述するインバータ回路ＩＮＶのスイッチング素子Ｑ１との間に上記インダクタおよびダイオードが直列に接続している。そうして、出力端間すなわち平滑コンデンサＣ１の両端間に昇圧し、かつ平滑化された可変の直流電圧を出力する。
【００３４】
インバータ回路ＩＮＶは、昇圧チョッパＢＵＣの出力端間に直列接続した一対のスイッチング素子Ｑ１、Ｑ２を備えたハーフブリッジ形インバータ回路からなり、スイッチング素子Ｑ２の両端から矩形波の高周波電圧を出力する。
【００３５】
負荷回路ＬＣは、直流カットコンデンサＣ２、インダクタＬ１および共振コンデンサＣ３の直列回路からなり、インバータ回路ＩＮＶの出力端間に接続している。そして、インダクタＬ１および共振コンデンサＣ３は、直列共振回路を形成している。
【００３６】
制御回路ＣＣは、マイコンμ-Comを主体として構成されていて、発振機能Osc１および発振機能Osc２を備えている。なお、発振機能Osc１および発振機能Osc２は、マイコンμ-Comがこれらの機能を担当することができる。発振機能Osc１は、昇圧チョッパＢＵＴのスイッチング素子に駆動信号を供給する。発振機能Osc２は、インバータ回路ＩＮＶの一対のスイッチング素子Ｑ１、Ｑ２に交互に駆動信号を供給する。
【００３７】
リモコン受信器ＲＲは、赤外線受光器、復調回路および増幅器などを備え、受信した操作信号を制御回路ＣＣに制御入力する。
【００３８】
放電ランプＤＬは、蛍光ランプからなり、その一対のフィラメント電極が共振コンデンサＣ３の両端側において負荷回路ＬＣに直列に挿入されることで負荷回路ＬＣに接続している。
【００３９】
図２に示すように、本発明の放電ランプ点灯装置を搭載した照明器具１０は、照明器具本体１１、点灯回路ＯＣ、リモコン受信器ＲＲおよび放電ランプＤＬを備えている。なお、リモコン受信器ＲＴは、照明器具１０から離間した位置に置かれる。
【００４０】
照明器具本体１１は、基体１１ａ、反射板１１ｂおよびセード１１ｃを主体として構成された天井取付形照明器具である。基体１１ａは、浅皿状をなしていて、天井の下面に取付けられる。反射板１１ｂは、基体１１ａの下面を覆い、外面が白色系の反射面となっていて、基体１１ａとの間に点灯回路ＯＣおよび配線部材などを配設する空間を形成している。セード１１ｃは、透光性プラスチックスからなり、基体１１ａの下面開放端に着脱可能に装着されている。
【００４１】
点灯回路ＯＣは、図１に示す構成である。そして、照明器具本体１１の基体１１ａおよび反射面１１ｂが形成する空間の内部に配設され、その高周波出力は図示を省略しているソケットを介して放電ランプＤＬに供給される。
【００４２】
リモコン受信器ＲＲは、反射面１１ｂの外面に配設されていて、照明器具１０の下方からリモコン送信器ＲＴを操作したときに送出される赤外線リモコン信号を受信しやすく配設されている。すなわち、赤外線受光器がセード１１ｂに対面するように反射面１１ｂに下向きに取付けられている。
【００４３】
放電ランプＤＬは、例えば環形の蛍光ランプからなり、反射面１１ｂに着脱可能に装着されている。
【００４４】
リモコン送信器ＲＴは、放電ランプＤＬの動作を切り換える際に遠隔操作するときに用いられ、全光スイッチ１２、調光スイッチ１３、アップスイッチ１４、ダウンスイッチ１５、保安灯スイッチ１６および消灯スイッチ１７を備えていて、これらを択一的に操作した際に該当する赤外線リモコン信号が送信される。
【００４５】
全光スイッチ１２は、これを操作したときに放電ランプＤＬが全光点灯に切り換えられる。調光スイッチ１３は、これを操作したときに放電ランプＤＬが調光点灯に切り換えられる。アップスイッチ１４は、これを操作したときに調光レベルが上昇していき、操作を停止したときの調光レベルに設定される。ダウンスイッチ１５は、これを操作したときに調光レベルが下降していき、操作を停止したときの調光レベルに設定される。保安灯スイッチ１６は、これを操作したときに保安灯（図示しない。）が点灯する。消灯スイッチ１６は、これを操作したときに放電ランプＤＬが後述するようにフェードアウト制御による消灯に切り換えられる。また、保安灯が点灯しているときに操作された場合には、保安灯が消灯する
次に、動作について説明する。図１において、低周波交流電源ＡＣからの低周波交流電圧は、点灯回路ＯＣの整流回路Ｒｅｃで非平滑直流電圧に変換され、さらに昇圧チョッパＢＵＣで所望電圧の平滑化直流電圧に変換されてインバータ回路ＩＮＶの直流入力端に印加される。インバータ回路ＩＮＶが動作すると、高周波電圧が出力され、さらに負荷回路ＬＣで波形整形されて放電ランプＤＬの一対のフィラメント電極間に印加され、フィラメント電極が予熱され、次に始動電圧が放電ランプＤＬに印加されると、放電ランプＤＬが始動して点灯する。
【００４６】
放電ランプＤＬの点灯モードを切り換えるときには、リモコン送信器ＲＴを所要に操作すればよい。例えば、全光点灯にする場合には、全光スイッチ１２を操作する。すると、全光点灯に切り換えるための赤外線リモコン信号が送信される。図２に示す照明器具１０のリモコン受信器ＲＲが上記赤外線リモコン信号を受信すると、これを復調して図１に示す制御回路ＣＣに全光の操作信号が制御入力する。
【００４７】
制御回路ＣＣのマイコンμ-Comは、昇圧チョッパＢＵＣのスイッチング素子に供給するオンデューティが全光点灯用に制御された駆動信号を発振機能Osc１から発生し、インバータ回路ＩＮＶのスイッチング素子Ｑ１、Ｑ２に供給する全光点灯用に周波数が制御された駆動信号を発振機能Osc２から発生して、昇圧チョッパＢＵＣおよびインバータ回路ＩＮＶに供給する。そうして、放電ランプＤＬは全光点灯する。
【００４８】
同様に調光点灯にする場合には調光スイッチ１３を操作する。単に調光スイッチを操作したときには、調光レベルが例えば７０％のメモリ調光となるように予め設定されている。メモリ調光以外の調光レベルにしたいときにはアップスイッチ１４およびダウンスイッチ１５のいずれかを所望に応じて択一的に操作する。そうすれば、メモリ調光レベルの上下にわたる所定範囲内において所望の調光レベルを設定することができる。
【００４９】
放電ランプＤＬを消灯する場合には消灯スイッチ１６を操作する。これにより、消灯の赤外線リモコン信号がリモコン送信器ＲＴから送信され、これをリモコン受信器ＲＲが受信する。その結果、制御回路ＣＣが発振機能Osc１およびOsc２から発生する駆動信号をそれぞれ制御するので、昇圧チョッパＢＵＣはその出力電圧を順次低下し、インバータ回路ＩＮＶは発振周波数が順次高くなって、放電ランプＤＬに入力するランプ電力が調光下限より低減していくフェードアウト制御が行われるので、やがて放電ランプＤＬは消灯に至る。
【００５０】
なお、放電ランプＤＬをフェードアウト制御により消灯させる場合、上記の他にインバータ回路ＩＮＶの直流入力電圧を下げる方法およびインバータ回路ＩＮＶの発振周波数を上げる方法がある。
【００５１】
リモコン送信器ＲＴのダウンスイッチ１５を操作して放電ランプＤＬを明るさレベルα１の全光点灯から連続調光点灯させた場合、図３に示すように時間Ｔ１で所定範囲内における調光下限に到達する。このときの明るさレベルはα２である。
【００５２】
次に、調光下限の調光レベルのときにリモコン送信器ＲＴの消灯スイッチ１６を操作すると、フェードアウト制御により明るさレベルが調光下限のときよりさらに低下して時間Ｔ２で消灯する。このときの明るさレベルをα３とすれば、消灯時におけるフェードアウト制御による明るさ低下の割合ＡはＡ＝（α２−α３）／Ｔ２となる。これに対して、所定範囲内における調光時の明るさ低下の割合ＢはＢ＝（α１−α２）／Ｔ１となる。そして、本形態においては明るさ低下の割合ＡとＢの関係はＡ＞Ｂとなるように設定されている。なお、消灯スイッチ１６は、任意の調光レベルでの調光点灯および全光点灯のいずれで操作してもよい。例えば、図３に示すように所定範囲の中間において消灯スイッチ１６を操作しても、明るさ低下の割合はＡである。
【図面の簡単な説明】
【００５３】
【図１】本発明の放電ランプ点灯装置を実施するための一形態における照明器具側に配設される放電ランプ点灯装置の回路図
【図２】同じくは照明器具およびリモコンの略図
【図３】同じく放電ランプの全光、調光および消灯時の明るさの関係を示すグラフ
【符号の説明】
【００５４】
１０…照明器具、１１…照明器具本体、１２…全光スイッチ、１３…調光スイッチ、１４アップスイッチ、１５…ダウンスイッチ、１６…保安灯スイッチ、１７…消灯スイッチ、ＢＵＣ…昇圧チョッパ、ＣＣ…制御回路、ＤＬ…放電ランプ、ＩＮＶ…インバータ回路、ＬＣ…負荷回路、ＯＣ…点灯回路、Osc１、Osc２…発振機能、ＲＣ…リモコン、Ｒｅｃ…整流回路、ＲＲ…リモコン受信器、ＲＴ…リモコン送信器
【図１】
2009230879.tif 000003
【図２】
2009230879.tif 000004
【図３】
2009230879.tif 000005